(57)【要約】【課題】ユーザによる予想を維持したまま、より高い配当が得られる可能性の高い投票券の情報を提供する。【解決手段】公営競技のレースに出場する競争体うち１以上の競争体の着順を一意に指定する投票券の投票券種別と、投票券種別における競争体の順位に対応する競争体番号パターンと、競争体番号パターンに対する受付金額とを、ユーザから受け付け（Ｓ２、Ｓ３）、受け付けた投票券種別とは異なる投票券種別を抽出し（Ｓ６）、受け付けた競争体番号パターンを全て網羅するように抽出された投票券種別に対する競争体番号パターンを抽出し（Ｓ７）、受け付けた投票券種別および競争体番号パターンに対応するオッズ情報と受付金額とから第１払戻金額を算出し（Ｓ８）、抽出された投票券種別および競争体番号パターンに対するオッズ情報から算出される第２払戻金額のうち最低の第２払戻金額が、第１払戻金額に関連した金額よりも高くなるように、抽出された競争体番号パターンに割り当てる割当金額を算出する（Ｓ９）。【選択図】図１０
2014085987.tif 000002
【特許請求の範囲】
【請求項１】
公営競技の投票券に関する情報を提供する投票券情報提供装置において、
前記公営競技のレースに関するオッズ情報を取得するオッズ情報取得手段と、
前記レースに出場する競争体のうち１以上の競争体の着順を一意に指定する投票券の投票券種別と、当該投票券種別における競争体の順位に対応する１以上の競争体番号の競争体番号パターンと、当該競争体番号パターンに対して受け付ける受付金額とを、ユーザから受け付ける受付手段と、
前記１以上の競争体の着順を一意に指定する投票券の投票券種別のうち、前記受け付けた投票券種別とは異なる投票券種別を抽出する投票券種別抽出手段と、
前記受け付けた競争体番号パターンを全て網羅するように前記抽出された投票券種別に対する競争体番号パターンを抽出する競争体番号パターン抽出手段と、
前記受付手段により受け付けた投票券種別および競争体番号パターンに対応する前記オッズ情報と、前記受付手段により受け付けた受付金額と、から１つ以上の第１払戻金額を算出する第１払戻金額算出手段と、
前記抽出された投票券種別および前記抽出された競争体番号パターンに対する前記オッズ情報から算出される１以上の第２払戻金額のうち最低の第２払戻金額が、前記算出された第１払戻金額に関連した金額よりも高くなるように、前記抽出された競争体番号パターンに割り当てる割当金額を算出する割当金額算出手段と、
前記割当金額算出手段により前記割当金額が算出された場合のみに、前記抽出された投票券種別と、前記抽出された競争体番号パターンと、前記算出された割当金額と、を出力する出力手段と、
を備えたことを特徴とする投票券情報提供装置。
【請求項２】
請求項１に記載の投票券情報提供装置において、
前記割当金額算出手段が、更に、前記抽出された競争体番号パターンに割り当てる割当金額の合計が、前記受け付けた受付金額の合計以下になるように、前記割当金額を算出することを特徴とする投票券情報提供装置。
【請求項３】
請求項２に記載の投票券情報提供装置において、
前記競争体番号パターン抽出手段が、前記競争体番号パターン数が増加するように前記競争体番号パターンを抽出し、
前記割当金額算出手段が、前記抽出された競争体番号パターンに割り当てる割当金額の合計が、前記受け付けた受付金額の合計に等しくなるように、かつ、前記最低の第２払戻金額が、前記算出された第１払戻金額よりも高くなるように、当該割当金額を算出することを特徴とする投票券情報提供装置。
【請求項４】
請求項２に記載の投票券情報提供装置において、
前記競争体番号パターン手段が、前記競争体番号パターン数が減少するように前記競争体番号パターンを抽出し、
前記割当金額算出手段が、前記抽出された競争体番号パターンに割り当てる割当金額の合計が、前記受け付けた受付金額の合計に等しくなるように、かつ、前記最低の第２払戻金額が、前記算出された１つ以上の第１払戻金額のうち最も高い第１払戻金額よりも高くなるように、前記割当金額を算出することを特徴とする投票券情報提供装置。
【請求項５】
請求項２に記載の投票券情報提供装置において、
前記割当金額算出手段が、前記抽出された競争体番号パターンに割り当てる割当金額の合計が、前記受け付けた受付金額の合計より低くなるように、かつ、前記最低の第２払戻金額が、前記算出された１つ以上の第１払戻金額のうち最も高い第１払戻金額よりも高くなるように、前記割当金額を算出することを特徴とする投票券情報提供装置。
【請求項６】
公営競技の投票券に関する情報を提供する投票券情報提供装置において、
前記公営競技のレースに関するオッズ情報を取得するオッズ情報取得手段と、
前記レースに出場する競争体のうち１以上の競争体を指定する投票券の投票券種別と、当該投票券種別における競争体に対応する１以上の競争体番号の競争体番号パターンと、当該競争体番号パターンに対して受け付ける受付金額とを、ユーザから受け付ける受付手段と、
前記競争体を指定する投票券の投票券種別のうち、前記受け付けた投票券種別とは異なる投票券種別を抽出する投票券種別抽出手段と、
前記受け付けた競争体番号パターンを全て網羅するように前記抽出された投票券種別に対する競争体番号パターンを抽出する競争体番号パターン抽出手段と、
前記受付手段により受け付けた投票券種別および競争体番号パターンに対応する前記オッズ情報と、前記受付手段により受け付けた受付金額と、から１つ以上の第１払戻金額を算出する第１払戻金額算出手段と、
前記抽出された投票券種別および前記抽出された競争体番号パターンに対する前記オッズ情報から算出される１以上の第２払戻金額のうち最低の第２払戻金額が、前記算出された第１払戻金額に関連した金額よりも高くなるように、前記抽出された競争体番号パターンに割り当てる割当金額を算出する割当金額算出手段と、
前記割当金額算出手段により前記割当金額が算出された場合のみに、前記抽出された投票券種別と、前記抽出された競争体番号パターンと、前記算出された割当金額と、を出力する出力手段と、
を備え、
前記割当金額算出手段が、前記抽出された競争体番号パターンに割り当てる割当金額の合計が、前記受け付けた受付金額の合計より低くなるように、かつ、前記最低の第２払戻金額が、前記算出された１つ以上の第１払戻金額のうち最も高い第１払戻金額よりも高くなるように、前記割当金額を算出することを特徴とする投票券情報提供装置。
【請求項７】
請求項１から請求項６のいずれか１項に記載の投票券情報提供装置において、
前記受付手段が、前記投票券に関する情報を提供するための課金を更に受け付け、
前記投票券種別抽出手段が、前記受付手段が受け付けた課金の大きさに応じて、前記競争体を指定する投票券の投票券種別の中から前記投票券種別を抽出する範囲を変えて、前記受け付けた投票券種別とは異なる投票券種別を抽出することを特徴とする投票券情報提供装置。
【請求項８】
請求項１から請求項７のいずれか１項に記載の投票券情報提供装置において、
前記公営競技のレースに関するオッズ情報を記憶手段に逐次記憶させるオッズ情報記憶手段と、
前記受付手段により受け付けた投票券種別、競争体番号パターンおよび受付金額と、前記出力手段により出力された投票券種別、競争体番号パターンおよび割当金額と、のいずれか一方の購入の予約を受け付ける予約手段とを、更に備え、
前記オッズ情報取得手段が、前記記憶手段を参照して、前記公営競技の投票券の受付締切の所定時間前における前記オッズ情報を取得し、
当該取得されたオッズ情報に基づき、前記割当金額算出手段により前記割当金額が算出された場合のみに、当該算出された割当金額による購入処理を行う購入処理手段と、
を備えたことを特徴とする投票券情報提供装置。
【請求項９】
公営競技の投票券に関する情報を提供する投票券情報提供装置の投票券情報提供方法において、
前記公営競技のレースに関するオッズ情報を取得するオッズ情報取得ステップと、
前記レースに出場する競争体のうち１以上の競争体の着順を一意に指定する投票券の投票券種別と、当該投票券種別における競争体の順位に対応する１以上の競争体番号の競争体番号パターンと、当該競争体番号パターンに対して受け付ける受付金額とを、ユーザから受け付ける受付ステップと、
前記１以上の競争体の着順を一意に指定する投票券の投票券種別のうち、前記受け付けた投票券種別とは異なる投票券種別を抽出する投票券種別抽出ステップと、
前記受け付けた競争体番号パターンを全て網羅するように前記抽出された投票券種別に対する競争体番号パターンを抽出する競争体番号パターン抽出ステップと、
前記受付ステップにおいて受け付けた投票券種別および競争体番号パターンに対応する前記オッズ情報と、前記受付ステップにおいて受け付けた受付金額と、から１つ以上の第１払戻金額を算出する第１払戻金額算出ステップと、
前記抽出された投票券種別および前記抽出された競争体番号パターンに対する前記オッズ情報から算出される１以上の第２払戻金額のうち最低の第２払戻金額が、前記算出された第１払戻金額に関連した金額よりも高くなるように、前記抽出された競争体番号パターンに割り当てる割当金額を算出する割当金額算出ステップと、
前記割当金額算出ステップにおいて前記割当金額が算出された場合のみに、前記抽出された投票券種別と、前記抽出された競争体番号パターンと、前記算出された割当金額と、を出力する出力ステップと、
を含むことを特徴とする投票券情報提供方法。
【請求項１０】
公営競技の投票券に関する情報を提供する投票券情報提供装置用プログラムにおいて、
コンピュータを、
前記公営競技のレースに関するオッズ情報を取得するオッズ情報取得手段、
前記レースに出場する競争体のうち１以上の競争体の着順を一意に指定する投票券の投票券種別と、当該投票券種別における競争体の順位に対応する１以上の競争体番号の競争体番号パターンと、当該競争体番号パターンに対して受け付ける受付金額とを、ユーザから受け付ける受付手段、
前記１以上の競争体の着順を一意に指定する投票券の投票券種別のうち、前記受け付けた投票券種別とは異なる投票券種別を抽出する投票券種別抽出手段、
前記受け付けた競争体番号パターンを全て網羅するように前記抽出された投票券種別に対する競争体番号パターンを抽出する競争体番号パターン抽出手段、
前記受付手段により受け付けた投票券種別および競争体番号パターンに対応する前記オッズ情報と、前記受付手段により受け付けた受付金額と、から１つ以上の第１払戻金額を算出する第１払戻金額算出手段、
前記抽出された投票券種別および前記抽出された競争体番号パターンに対する前記オッズ情報から算出される１以上の第２払戻金額のうち最低の第２払戻金額が、前記算出された第１払戻金額に関連した金額よりも高くなるように、前記抽出された競争体番号パターンに割り当てる割当金額を算出する割当金額算出手段、および、
前記割当金額算出手段により前記割当金額が算出された場合のみに、前記抽出された投票券種別と、前記抽出された競争体番号パターンと、前記算出された割当金額と、を出力する出力手段として機能させることを特徴とする投票券情報提供装置用プログラム。
【発明の詳細な説明】
【技術分野】
【０００１】
本発明は、公営競技の投票券に関する情報を提供する投票券情報提供装置、投票券情報提供方法、および、投票券情報提供装置用プログラムの技術分野に関する。
【背景技術】
【０００２】
競馬や競輪といった公営競技のレースにおいては、馬や自転車等の競走対象（競争体）の着順を予想して、投票券種別と競争体の番号とに応じた投票券が購入される。レース結果およびオッズに応じて配当金が支払われるため、より多くの配当金を得るためのサービスが開発されている。例えば、特許文献１では、入力された投票番号と関連する投票種別のオッズを取得済みオッズから抽出し、その中から一番高い投票種別のオッズを選択する投票端末装置が開示されている。
【先行技術文献】
【特許文献】
【０００３】
【特許文献１】特開２００１−０５２０９７号公報
【発明の概要】
【発明が解決しようとする課題】
【０００４】
ところで、特許文献１には、例えば、馬連”１−１０”に対して枠連“１−５”を提示することが記載されている。このように、入力された馬番または枠番等の着順は順不同であって、競争体それぞれの対応関係を全て保ったまま投票券種別を変更した投票券を提示することが開示されている。しかしながら、競争体それぞれの対応関係を全て保ったままという制約の下、投票券種別を変更していたので、ユーザによる予想を維持したまま、より高い配当が得られる可能性の高い投票券を効率的に探し出すことができなかった。
【０００５】
本発明は、このような問題に鑑みてなされたものであり、その課題の一例は、ユーザによる予想を維持したまま、より高い配当が得られる可能性の高い投票券の情報を提供することを目的とする。
【課題を解決するための手段】
【０００６】
上記課題を解決するために、請求項１に記載の発明は、公営競技の投票券に関する情報を提供する投票券情報提供装置において、前記公営競技のレースに関するオッズ情報を取得するオッズ情報取得手段と、前記レースに出場する競争体のうち１以上の競争体の着順を一意に指定する投票券の投票券種別と、当該投票券種別における競争体の順位に対応する１以上の競争体番号の競争体番号パターンと、当該競争体番号パターンに対して受け付ける受付金額とを、ユーザから受け付ける受付手段と、前記１以上の競争体の着順を一意に指定する投票券の投票券種別のうち、前記受け付けた投票券種別とは異なる投票券種別を抽出する投票券種別抽出手段と、前記受け付けた競争体番号パターンを全て網羅するように前記抽出された投票券種別に対する競争体番号パターンを抽出する競争体番号パターン抽出手段と、前記受付手段により受け付けた投票券種別および競争体番号パターンに対応する前記オッズ情報と、前記受付手段により受け付けた受付金額と、から１つ以上の第１払戻金額を算出する第１払戻金額算出手段と、前記抽出された投票券種別および前記抽出された競争体番号パターンに対する前記オッズ情報から算出される１以上の第２払戻金額のうち最低の第２払戻金額が、前記算出された第１払戻金額に関連した金額よりも高くなるように、前記抽出された競争体番号パターンに割り当てる割当金額を算出する割当金額算出手段と、前記割当金額算出手段により前記割当金額が算出された場合のみに、前記抽出された投票券種別と、前記抽出された競争体番号パターンと、前記算出された割当金額と、を出力する出力手段と、を備えたことを特徴とする。
【０００７】
従って、受け付けた投票券種別とは異なる投票券種別において、受け付けた競争体番号パターンを全て網羅するように抽出された投票券種別に対する競争体番号パターンを抽出し、抽出された投票券種別および競争体番号パターンの投票券に対する第２払戻金額が、受け付けた投票券の第１払戻金額に関連した金額よりも高くなる場合のみに、抽出された投票券の情報を出力するので、ユーザによる予想を維持したまま、より高い配当が得られる可能性の高い投票券の情報を提供できる。また、受け付けた競争体番号パターンを全て網羅するように抽出された投票券種別に対する競争体番号パターンを抽出しているので、ユーザにとって不利にならないような情報を確実に提供できる。
【０００８】
請求項２に記載の発明は、請求項１に記載の投票券情報提供装置において、前記割当金額算出手段が、更に、前記抽出された競争体番号パターンに割り当てる割当金額の合計が、前記受け付けた受付金額の合計以下になるように、前記割当金額を算出することを特徴とする。
【０００９】
この場合、抽出された競争体番号パターンに割り当てる割当金額の合計が、受け付けた受付金額の合計以下になる投票券の情報を出力するので、支払う金額が低くても、ユーザによる予想を維持したまま、より高い配当が得られる可能性の高い投票券の情報を提供できる。
【００１０】
請求項３に記載の発明は、請求項２に記載の投票券情報提供装置において、前記競争体番号パターン抽出手段が、前記競争体番号パターン数が増加するように前記競争体番号パターンを抽出し、前記割当金額算出手段が、前記抽出された競争体番号パターンに割り当てる割当金額の合計が、前記受け付けた受付金額の合計に等しくなるように、かつ、前記最低の第２払戻金額が、前記第１算出された第１払戻金額よりも高くなるように、当該割当金額を算出することを特徴とする。
【００１１】
この場合、抽出された競争体番号パターンに割り当てる割当金額の合計が、受け付けた受付金額の合計に等しく、かつ、最低の第２払戻金額が、受け付けた投票券の第１払戻金額よりも高くなる投票券の情報を出力するので、支払う金額が同じで、ユーザによる予想を維持したまま、より高い配当が得られる可能性の高い投票券の情報を提供できる。
【００１２】
請求項４に記載の発明は、請求項２に記載の投票券情報提供装置において、前記競争体番号パターン抽出手段が、前記競争体番号パターン数が減少するように前記競争体番号パターンを抽出し、前記割当金額算出手段が、前記抽出された競争体番号パターンに割り当てる割当金額の合計が、前記受け付けた受付金額の合計に等しくなるように、かつ、前記最低の第２払戻金額が、前記算出された１つ以上の第１払戻金額のうち最も高い第１払戻金額よりも高くなるように、前記割当金額を算出することを特徴とする。
【００１３】
この場合、抽出された競争体番号パターンに割り当てる割当金額の合計が、受け付けた受付金額の合計に等しく、かつ、最低の第２払戻金額が、受け付けた投票券の第１払戻金額の最も高い金額よりも高くなる投票券の情報を出力するので、支払う金額が同じで、払戻金額がより高くなる可能性が高くなり、ユーザによる予想を維持したまま、より高い配当が得られる可能性の高い投票券の情報を提供できる。
【００１４】
請求項５に記載の発明は、請求項２に記載の投票券情報提供装置において、前記割当金額算出手段が、前記抽出された競争体番号パターンに割り当てる割当金額の合計が、前記受け付けた受付金額の合計より低くなるように、かつ、前記最低の第２払戻金額が、前記算出された１つ以上の第１払戻金額のうち最も高い第１払戻金額よりも高くなるように、前記割当金額を算出することを特徴とする。
【００１５】
この場合、抽出された競争体番号パターンに割り当てる割当金額の合計が、受け付けた受付金額の合計より低く、かつ、最低の第２払戻金額が、受け付けた投票券の第１払戻金額の最も高い金額よりも高くなる投票券の情報を出力するので、支払う金額が低くでも、払戻金額がより高くなる可能性が高くなり、ユーザによる予想を維持したまま、より高い配当が得られる可能性の高い投票券の情報を提供できる。
【００１６】
請求項６に記載の発明は、公営競技の投票券に関する情報を提供する投票券情報提供装置において、前記公営競技のレースに関するオッズ情報を取得するオッズ情報取得手段と、前記レースに出場する競争体のうち１以上の競争体を指定する投票券の投票券種別と、当該投票券種別における競争体に対応する１以上の競争体番号の競争体番号パターンと、当該競争体番号パターンに対して受け付ける受付金額とを、ユーザから受け付ける受付手段と、前記競争体を指定する投票券の投票券種別のうち、前記受け付けた投票券種別とは異なる投票券種別を抽出する投票券種別抽出手段と、前記受け付けた競争体番号パターンを全て網羅するように前記抽出された投票券種別に対する競争体番号パターンを抽出する競争体番号パターン抽出手段と、前記受付手段により受け付けた投票券種別および競争体番号パターンに対応する前記オッズ情報と、前記受付手段により受け付けた受付金額と、から１つ以上の第１払戻金額を算出する第１払戻金額算出手段と、前記抽出された投票券種別および前記抽出された競争体番号パターンに対する前記オッズ情報から算出される１以上の第２払戻金額のうち最低の第２払戻金額が、前記算出された第１払戻金額に関連した金額よりも高くなるように、前記抽出された競争体番号パターンに割り当てる割当金額を算出する割当金額算出手段と、前記割当金額算出手段により前記割当金額が算出された場合のみに、前記抽出された投票券種別と、前記抽出された競争体番号パターンと、前記算出された割当金額と、を出力する出力手段と、を備え、前記割当金額算出手段が、前記抽出された競争体番号パターンに割り当てる割当金額の合計が、前記受け付けた受付金額の合計より低くなるように、かつ、前記最低の第２払戻金額が、前記算出された１つ以上の第１払戻金額のうち最も高い第１払戻金額よりも高くなるように、前記割当金額を算出することを特徴とする。
【００１７】
従って、受け付けた投票券種別とは異なる投票券種別において、受け付けた競争体番号パターンを全て網羅するように抽出された投票券種別に対する競争体番号パターンを抽出し、抽出された競争体番号パターンに割り当てる割当金額の合計が、受け付けた受付金額の合計より低く、かつ、最低の第２払戻金額が、受け付けた投票券の第１払戻金額の最も高い金額よりも高くなる投票券の情報を出力するので、支払う金額が、受け付けた金額より低くても、払戻金額がより高くなる可能性が高くなり、ユーザによる予想を維持したまま、より高い配当が得られる可能性の高い価値がある投票券の情報を提供できる。
【００１８】
請求項７に記載の発明は、請求項１から請求項６のいずれか１項に記載の投票券情報提供装置において、前記受付手段が、前記投票券に関する情報を提供するための課金を更に受け付け、前記投票券種別抽出手段が、前記受付手段が受け付けた課金の大きさに応じて、前記競争体を指定する投票券の投票券種別の中から前記投票券種別を抽出する範囲を変えて、前記受け付けた投票券種別とは異なる投票券種別を抽出することを特徴とする。
【００１９】
この場合、受け付けた課金の大きさに応じて抽出する範囲を変えているので、抽出する範囲が限定され、課金による抑制効果もあり、処理負担を軽減できる。
【００２０】
請求項８に記載の発明は、請求項１から請求項７のいずれか１項に記載の投票券情報提供装置において、前記公営競技のレースに関するオッズ情報を記憶手段に逐次記憶させるオッズ情報記憶手段と、前記受付手段により受け付けた投票券種別、競争体番号パターンおよび受付金額と、前記出力手段により出力された投票券種別、競争体番号パターンおよび割当金額と、のいずれか一方の購入の予約を受け付ける予約手段とを、更に備え、前記オッズ情報取得手段が、前記記憶手段を参照して、前記公営競技の投票券の受付締切の所定時間前における前記オッズ情報を取得し、当該取得されたオッズ情報に基づき、前記割当金額算出手段により前記割当金額が算出された場合のみに、当該算出された割当金額による購入処理を行う購入処理手段と、を備えたことを特徴とする。
【００２１】
この場合、受付締切まで時間があるときには、オッズが確定するまでに時間があるので、ユーザから受け付けた投票券と、抽出された投票券のどちらが有利であるかが確定しないが、購入予約を受け付けてシステムが締切直前に自動で判定することにより、どちらが有利になるかをユーザが監視する必要がなくなる。また、オッズが変化により抽出した投票券の払戻金額が不利になる場合の購入を防止できる。
【００２２】
請求項９に記載の発明は、公営競技の投票券に関する情報を提供する投票券情報提供装置の投票券情報提供方法において、前記公営競技のレースに関するオッズ情報を取得するオッズ情報取得ステップと、前記レースに出場する競争体のうち１以上の競争体の着順を一意に指定する投票券の投票券種別と、当該投票券種別における競争体の順位に対応する１以上の競争体番号の競争体番号パターンと、当該競争体番号パターンに対して受け付ける受付金額とを、ユーザから受け付ける受付ステップと、前記１以上の競争体の着順を一意に指定する投票券の投票券種別のうち、前記受け付けた投票券種別とは異なる投票券種別を抽出する投票券種別抽出ステップと、前記受け付けた競争体番号パターンを全て網羅するように前記抽出された投票券種別に対する競争体番号パターンを抽出する競争体番号パターン抽出ステップと、前記受付ステップにおいて受け付けた投票券種別および競争体番号パターンに対応する前記オッズ情報と、前記受付ステップにおいて受け付けた受付金額と、から１つ以上の第１払戻金額を算出する第１払戻金額算出ステップと、前記抽出された投票券種別および前記抽出された競争体番号パターンに対する前記オッズ情報から算出される１以上の第２払戻金額のうち最低の第２払戻金額が、前記算出された第１払戻金額に関連した金額よりも高くなるように、前記抽出された競争体番号パターンに割り当てる割当金額を算出する割当金額算出ステップと、前記割当金額算出ステップにおいて前記割当金額が算出された場合のみに、前記抽出された投票券種別と、前記抽出された競争体番号パターンと、前記算出された割当金額と、を出力する出力ステップと、を含むことを特徴とする。
【００２３】
請求項１０に記載の発明は、公営競技の投票券に関する情報を提供する投票券情報提供装置用プログラムにおいて、コンピュータを、前記公営競技のレースに関するオッズ情報を取得するオッズ情報取得手段、前記レースに出場する競争体のうち１以上の競争体の着順を一意に指定する投票券の投票券種別と、当該投票券種別における競争体の順位に対応する１以上の競争体番号の競争体番号パターンと、当該競争体番号パターンに対して受け付ける受付金額とを、ユーザから受け付ける受付手段、前記１以上の競争体の着順を一意に指定する投票券の投票券種別のうち、前記受け付けた投票券種別とは異なる投票券種別を抽出する投票券種別抽出手段、前記受け付けた競争体番号パターンを全て網羅するように前記抽出された投票券種別に対する競争体番号パターンを抽出する競争体番号パターン抽出手段、前記受付手段により受け付けた投票券種別および競争体番号パターンに対応する前記オッズ情報と、前記受付手段により受け付けた受付金額と、から１つ以上の第１払戻金額を算出する第１払戻金額算出手段、前記抽出された投票券種別および前記抽出された競争体番号パターンに対する前記オッズ情報から算出される１以上の第２払戻金額のうち最低の第２払戻金額が、前記算出された第１払戻金額に関連した金額よりも高くなるように、前記抽出された競争体番号パターンに割り当てる割当金額を算出する割当金額算出手段、および、前記割当金額算出手段により前記割当金額が算出された場合のみに、前記抽出された投票券種別と、前記抽出された競争体番号パターンと、前記算出された割当金額と、を出力する出力手段として機能させることを特徴とする。
【発明の効果】
【００２４】
本発明によれば、受け付けた投票券種別とは異なる投票券種別において、受け付けた競争体番号パターンを全て網羅するように前記抽出された投票券種別に対する競争体番号パターンを抽出し、抽出された投票券種別および競争体番号パターンの投票券に対する第２払戻金額が、受け付けた投票券の第１払戻金額に関連した金額よりも高くなる場合のみに、抽出された投票券の情報を出力するので、ユーザによる予想を維持したまま、より高い配当が得られる可能性の高い投票券の情報を提供できる。
【図面の簡単な説明】
【００２５】
【図１】本発明の実施形態に係る投票券情報提供システムの概要構成例を示す模式図である。
【図２】図１の投票券情報提供サーバの概要構成の一例を示すブロック図である。
【図３】図１の主催元サーバの概要構成の一例を示すブロック図である。
【図４】図１の端末装置の概要構成の一例を示すブロック図である。
【図５】レース情報を要求するためのウェブページの一例を示す模式図である。
【図６】レース情報のウェブページの一例を示す模式図である。
【図７】投票券種別の選択のためのウェブページの一例を示す模式図である。
【図８】競争体番号パターンの指定のためのウェブページの一例を示す模式図である。
【図９】競争体番号パターンの指定のためのウェブページの一例を示す模式図である。
【図１０】図１の投票券情報提供サーバの動作例を示すフローチャートである。
【図１１】競争体番号パターンに対する金額の指定のためのウェブページの一例を示す模式図である。
【図１２】競争体番号パターンに対する金額の指定のためのウェブページの一例を示す模式図である。
【図１３】入力された情報の確認のためのウェブページの一例を示す模式図である。
【図１４】サーチ範囲の選択のためのウェブページの一例を示す模式図である。
【図１５】お得情報のウェブページの一例を示す模式図である。
【図１６】お得情報のウェブページの一例を示す模式図である。
【図１７】お得情報のウェブページの一例を示す模式図である。
【図１８】お得情報のウェブページの一例を示す模式図である。
【図１９】お得情報のウェブページの一例を示す模式図である。
【発明を実施するための形態】
【００２６】
以下、図面を参照して本発明の実施形態について説明する。なお、以下に説明する実施の形態は、投票券情報提供システムに対して本発明を適用した場合の実施形態である。
【００２７】
［１．投票券情報提供システムの構成および機能概要］
まず、本発明の一実施形態に係る投票券情報提供システムの構成および概要機能について、図１を用いて説明する。
【００２８】
図１は、本実施形態に係る投票券情報提供システム１の概要構成例を示す模式図である。
【００２９】
図１に示すように、投票券情報提供システム１は、競馬、競輪、競艇等の公営競技における投票券に関する情報を提供する投票券情報提供サーバ１０（投票券情報提供装置の一例）と、公営競技を主催または運営し、投票券を発行する主催者側の主催元サーバ２０と、投票券情報提供サーバ１０からの情報の提供を受けて、ユーザが競技（レース）に対して投票券の購入を行うための端末装置３０と、を備えている。
【００３０】
投票券情報提供サーバ１０と、主催元サーバ２０と、端末装置３０とは、ネットワーク３により接続され、通信プロトコル（例えば、ＴＣＰ／ＩＰ）により、データの送受信が可能になっている。なお、ネットワーク３は、例えば、インターネット、専用通信回線（例えば、ＣＡＴＶ（Community Antenna Television）回線）、移動体通信網（基地局等を含む）、および、ゲートウェイ等により構築されている。なお、投票券情報提供サーバ１０と、主催元サーバ２０とは、セキュリティ向上のため専用回線で接続されていてもよい。
【００３１】
投票券情報提供サーバ１０は、主催元が発表するレースのオッズや、レース場の状態や、レースに出場する馬や自転車やボート等の競争体の情報や、レースの結果等の情報を主催元サーバより受信する。また、投票券情報提供サーバ１０は、端末装置３０におけるユーザの投票券の購入を支援する情報を端末装置３０に出力する。また、投票券情報提供サーバ１０は、投票券の購入の受付や、各端末装置３０に対して的中した投票券に対する払い戻し等の処理を行う。このように、投票券情報提供サーバ１０は、競馬サイト等の公営競技のサイトを運営のためのサーバである。
【００３２】
ここで、オッズとは配当率（掛け金に対する倍率）であり、レース開始前に概算オッズとして逐次発表されるものと、投票券発売締切以降に確定オッズ（最終的に確定した最終オッズ）として発表されるものとがある。また、レースに出場する競争体のうち１以上の競争体を指定する投票券の投票券種別（投票法の種類、いわゆる賭式）毎、および、競争体番号パターン毎にオッズがある。すなわち、投票券種別と競争体番号パターンとの買い目に対応した投票券毎にオッズがある。なお、レースの競争体には、馬の騎手や、自転車やボートを操縦する選手を含めてもよい。
【００３３】
また、レースに出場する競争体のうち１以上の競争体を指定する投票券の投票券種別の一例として、１着になると予想される競争体を指定する単勝、１着および２着になると予想される競争体を順番通りに指定する馬単等の競争体番号連勝単式、１着、２着、３着になると予想される競争体を順番通りに指定する３連単、１着から３着、または、１着から２着に入ると予想される競争体を１つ指定する複勝、１着から２着に入ると予想される競争体を２つ指定する馬連等の普通競争体番号連勝複式、１着から２着に入ると予想される競争体が入っている枠を指定する枠連、１着から３着に入ると予想される競争体を２つ指定するワイド、１着から３着に入ると予想される競争体を３つ指定する３連複等が挙げられる。
【００３４】
レースに出場する競争体のうち１以上の競争体の着順を一意に指定する投票券の投票券種別の一例として、単勝、馬単、３連単等が挙げられる。また、競争体の着順を順不同に指定する投票券種別の一例として、馬連、枠連、ワイド、３連複等が挙げられる。
【００３５】
また、競争体番号パターンとして、単勝の場合、１着と予想される競争体の番号、馬単の場合、１着および２着になると予想される競争体の番号、３連単の場合、１着、２着、３着になると予想される競争体の番号、馬連の場合、２つの指定された競争体番号の組み、枠連の場合、２つの指定された枠番号（枠の中に入る競争体の競争体番号が対応している）の組み、ワイドの場合、２つの指定された競争体番号の組み、３連複の場合、３つの指定された競争体番号の組み、連勝の場合、１つの指定された競争体番号が挙げられる。
【００３６】
主催元サーバ２０は、投票券情報提供サーバ１０や、レース場や投票券発売所に設置された端末装置等に対して、投票券の発行処理をしたり、発行された投票券に基づきオッズを集計して発表処理したりする。
【００３７】
ユーザの端末装置３０は、複数存在し、投票券を購入するための情報を表示し、購入する投票券に関する情報を投票券情報提供サーバ１０に送信する。
【００３８】
［２．各サーバの構成および機能］
（２．１  投票券情報提供サーバ１０の構成および機能）
次に、投票券情報提供サーバ１０の構成および機能について、図２を用いて説明する。
【００３９】
図２は、投票券情報提供サーバ１０の概要構成の一例を示すブロック図である。
【００４０】
図２に示すように、コンピュータとして機能する投票券情報提供サーバ１０は、通信部１１と、記憶部１２と、入出力インターフェース部１３と、システム制御部１４と、を備えている。そして、システム制御部１４と入出力インターフェース部１３とは、システムバス１５を介して接続されている。
【００４１】
通信部１１は、ネットワーク３に接続して主催元サーバ２０と端末装置３０等との通信状態を制御し、さらに、ローカルエリアネットワークに接続して、ローカルエリアネットワーク上の他のサーバとデータの送受信を行う。
【００４２】
記憶部１２は、例えば、ハードディスクドライブ等により構成されており、オペレーティングシステムおよびサーバプログラム等の各種プログラムや、ユーザに提供するレースに関する情報を提示するためのウェブページの画面データ等を記憶する。なお、各種プログラムは、例えば、他のサーバ装置等からネットワーク３を介して取得されるようにしてもよいし、記録媒体に記録されてドライブ装置（図示せず）を介して読み込まれるようにしてもよい。
【００４３】
また、記憶部１２には、過去に行われたレースの結果を示すレース結果情報を、主催元サーバ２０から受信して記憶するレース情報データベース１２ａ（以下「レース情報ＤＢ１２ａ」とする。）と、投票券種別を分類して記憶する投票券種別データベース１２ｂ（以下「投票券種別ＤＢ１２ｂ」とする。）と、ユーザから投票券購入のための資金の入金情報を端末装置３０から受け付けて記憶する口座データベース１２ｃ（以下「口座ＤＢ１２ｃ」とする。）と、会員に関する情報を記憶する会員データベース１２ｄ（以下「会員ＤＢ１２ｄ」とする。）等が構築されている。
【００４４】
レース情報ＤＢ１２ａ（記憶手段の一例）には、主催元サーバ２０から取得したオッズ情報、レースの結果等のレース情報がレースＩＤに関連付けられ記憶される。
【００４５】
ここで、レース情報の一例として、オッズ情報の他に、競技場名、競技場の天候、馬場がダート、芝であるといった競技場の種類等のレース条件、開催されるレース名、レースに出場する馬の名前、年齢、体重や、自転車やボートの種類等の競争体の状態（馬の騎手や、自転車やボートの選手等の名前、年齢、体重等も含む）等が挙げられる。さらに、レース情報として投票券の発売が終了した場合の最終オッズの情報や、レースが終了して順位が確定した場合のレースの順位、１着と２着とのタイム差等も挙げられる。
【００４６】
さらに、レース情報ＤＢ１２ａには、投票券種別毎および競争体パターン毎のオッズ情報が、レースＩＤに関連付けられ記憶される。
【００４７】
投票券種別ＤＢ１２ｂには、投票券種別が分類されて記憶されている。例えば、競争体の順位を指定する投票券の投票券種別に単勝、馬単、３連単等、競争体を順不同に指定する投票券種別に馬連、枠連、ワイド、３連複等が記憶されている。投票券種別ＤＢ１２ｂには、競争体の数に応じた、競争体の番号と枠番との対応関係等が記憶されている。
【００４８】
口座ＤＢ１２ｃには、ユーザが投票券を購入するための資金が入金され、その金額がユーザＩＤに関連付けられ記憶される。例えば、ユーザは、レースが開催される日に購入する投票券の予算を決めて、投票券を買う前にインターネット上の銀行等から、端末装置３０によって予算分の金額を口座ＤＢ１２ｃに振り込みをする。また、投票券が的中した場合、口座ＤＢ１２ｃには払戻金が入金される。また、ユーザが投票券を購入すると、口座ＤＢ１２ｃにおけるユーザの残高から購入の金額が差し引かれる。さらに、口座ＤＢ１２ｃには、ユーザによる銀行等からの入金と、払戻金による入金との累計である累計入金額が記憶される。
【００４９】
会員ＤＢ１２ｄには、会員登録されたユーザ（競馬サイトの利用者）のユーザＩＤ、名称、住所、電話番号、メールアドレス、職業、趣味、購買履歴、ユーザの関心があるテーマやジャンル等のユーザ情報が登録されている。また、会員ＤＢ１２ｄには、ユーザが端末装置３０から競馬サイトにログインする際に必要な、ユーザＩＤ、ログインＩＤ、および、パスワードが登録されている。ここで、ログインＩＤおよびパスワードは、ログイン処理（ユーザの認証処理）に使用されるログイン情報である。
【００５０】
また、記憶部１２は、競馬サイトからの情報を端末装置３０に表示させるために、ＨＴＭＬ（HyperText Markup Language）、ＸＭＬ（Extensible Markup Language）等のマークアップ言語等により記述されたウェブページのファイル等が記憶されている。
【００５１】
入出力インターフェース部１３は、通信部１１および記憶部１２とシステム制御部１４との間のインターフェース処理を行う。
【００５２】
システム制御部１４は、ＣＰＵ（Central Processing Unit）１４ａ、ＲＯＭ（Read Only Memory）１４ｂ、ＲＡＭ（Random Access Memory）１４ｃ等により構成されている。システム制御部１４は、ＣＰＵ１４ａがＲＯＭ１４ｂや記憶部１２に記憶された各種プログラムを読み出し実行することにより、投票券情報提供のための処理等を行う。
【００５３】
（２．２  主催元サーバ２０の構成および機能）
次に、主催元サーバ２０の構成および機能について、図３を用いて説明する。
図３は、主催元サーバ２０の概要構成の一例を示すブロック図である。
【００５４】
図３に示すように、主催元サーバ２０は、通信部２１と、記憶部２２と、入出力インターフェース部２３と、システム制御部２４と、を備え、システム制御部２４と入出力インターフェース部２３とは、システムバス２５を介して接続されている。なお、主催元サーバ２０の構成および機能は、投票券情報提供サーバ１０の構成および機能とほぼ同じであるので、投票券情報提供サーバ１０の各構成や各機能において、異なるところを中心に説明する。
【００５５】
通信部２１は、ネットワーク３やローカルエリアネットワーク等を通して、端末装置３０や投票券情報提供サーバ１０等と通信状態を制御等するようになっている。
【００５６】
記憶部２２には、レースに関する情報等が記憶されている。
【００５７】
システム制御部２４は、ＣＰＵ２４ａ、ＲＯＭ２４ｂ、ＲＡＭ２４ｃ等により構成されている。そして、システム制御部２４は、ＣＰＵ２４ａが、ＲＯＭ２４ｂや記憶部２２に記憶された各種プログラムを読み出し実行することにより、投票券情報提供サーバ１０にオッズ情報を送信する処理等を行う。
【００５８】
（２．３  端末装置３０の構成および機能）
次に、端末装置３０の構成および機能について、図４を用いて説明する。
図４は、端末装置３０の概要構成の一例を示すブロック図である。
【００５９】
図４に示すように、コンピュータとして機能する端末装置３０は、例えば、パーソナルコンピュータやスマートフォンを含む携帯型無線電話機やＰＤＡ等の携帯端末であり、通信部３１と、記憶部３２と、表示部３３と、操作部３４と、入出力インターフェース部３５と、システム制御部３６とを備えている。そして、システム制御部３６と入出力インターフェース部３５とは、システムバス３７を介して接続されている。
【００６０】
通信部３１は、ネットワーク３を通して、投票券情報提供サーバ１０等と通信を制御する。なお、端末装置３０が携帯端末装置の場合、ネットワーク３の移動体通信網に接続するために、通信部３１は、無線通信機能を有する。
【００６１】
記憶部３２は、例えば、ハードディスクドライブ等からなり、オペレーティングシステム、ウェブブラウザのプログラムやウェブブラウザ用ツールバーのプログラム等を記憶する。
【００６２】
表示部３３は、例えば、液晶表示素子またはＥＬ（Electro Luminescence）素子等によって構成されている。表示部３３には、競馬サイトのトップページの画面や特定のレースに関する投票券を購入するためのレース情報表のウェブページがウェブブラウザにより表示される。
【００６３】
操作部３４は、例えば、キーボードおよびマウス等によって構成されている。ユーザは、操作部３４により応答を入力する。なお、表示部３３がタッチパネルのようなタッチスイッチ方式の表示パネルの場合、操作部３４は、ユーザが接触または近接した表示部３３の位置情報を取得する。
【００６４】
入出力インターフェース部３５は、通信部３１および記憶部３２とシステム制御部３６とのインターフェースである。
【００６５】
システム制御部３６は、例えば、ＣＰＵ３６ａと、ＲＯＭ３６ｂと、ＲＡＭ３６ｃとを有する。システム制御部３６は、ＣＰＵ３６ａが、ＲＯＭ３６ｂや、ＲＡＭ３６ｃや、記憶部３２に記憶された各種プログラムを読み出して実行する。例えば、システム制御部３６は、ウェブブラウザのプログラムを実行しウェブブラウザとして機能する。
【００６６】
［３．投票券情報提供システムの動作］
次に、本発明の１実施形態に係る投票券情報提供システム１の動作について図５から図１９を用い説明する。
【００６７】
（３．１  レース情報の取得）
まず、投票券情報提供サーバ１０がレース情報を主催元サーバ２０から逐次受信する動作について説明する。
【００６８】
主催元サーバ２０は、レース情報を投票券情報提供サーバ１０に逐次送信する。具体的には、主催元サーバ２０のシステム制御部２４は、通信部２１を通して、レースが開催されている間において、例えば、所定時間間隔で、投票券の売り上げ状況において変化する各投票券のオッズ情報等のレース情報を、レースを特定するレースＩＤと共に投票券情報提供サーバ１０に送信する。なお、主催元サーバ２０のシステム制御部２４は、所定時間間隔に限らず、不規則な間隔で、レース情報を投票券情報提供サーバ１０に送信してもよいし、投票券情報提供サーバ１０からの要求に応じて、レース情報を投票券情報提供サーバ１０に送信してもよい。また、主催元サーバ２０のシステム制御部２４は、オッズが更新される度に、オッズ情報を投票券情報提供サーバ１０に送信してもよい。
【００６９】
次に、投票券情報提供サーバ１０は、レース情報を主催元サーバ２０から逐次受信する。具体的には、投票券情報提供サーバ１０のシステム制御部１４は、通信部１１を通して、主催元サーバ２０から逐次送信されてくるレース情報を逐次受信する。
【００７０】
次に、投票券情報提供サーバ１０は、レース情報をレース情報ＤＢ１２ａに記憶する。具体的には、投票券情報提供サーバ１０のシステム制御部１４は、レースＩＤに関連付けて、レース情報をレース情報ＤＢ１２ａに記憶して、蓄積、更新する。このように、最新のレース情報がレース情報ＤＢ１２ａに記憶される。
【００７１】
このように、投票券情報提供サーバ１０は、前記公営競技のレースに関するオッズ情報を記憶手段に逐次記憶させるオッズ情報記憶手段の一例として機能する。
【００７２】
（３．２  レース情報の表示）
次に、レース情報の表示について図５および図６を用いて説明する。
【００７３】
図５は、レース情報を要求するためのウェブページの一例を示す模式図である。図６は、レース情報のウェブページの一例を示す模式図である。
【００７４】
ユーザは、レースに投票するために投票券情報提供サーバ１０が提供する競馬サイトにログインする。端末装置３０は、入力されたログイン情報を投票券情報提供サーバ１０に送信し、競馬サイトのウェブページに関する情報を受信し表示部３３に表示させる。ユーザは、投票券の購入に必要な情報を集めるために、レースが開催される競馬場をウェブページ上で選択等をして、情報にアクセスし、図５に示すように、レース情報を要求するためのウェブページ４０が、端末装置３０の表示部３３に表示される。
【００７５】
ユーザが、ウェブページ４０において、競馬場”△○”のボタンＢ１をタップまたはクリックすると、レース番号のボタンＢ２が、ウェブページ４０に表示される。そして、ユーザが、ウェブページ４０において、競馬場”△○”におけるレース番号のレース情報表を閲覧するため、レース番号のボタンＢ２（例えば、第７レースのボタン”Ｒ７”）をタップまたはクリックすると、図６に示すように、オッズ表や出馬表と言ったレース情報のウェブページ４１が表示される。レース番号のボタンがＢ２選択されると、レース番号に対応したレースＩＤが、端末装置３０から投票券情報提供サーバ１０に送信される。
【００７６】
（３．３  投票券の購入）
次に、投票券の購入について、図７から図１３を用いて説明する。
図７は、投票券種別の選択のためのウェブページの一例を示す模式図である。図８および図９は、競争体番号パターンの指定のためのウェブページの一例を示す模式図である。図１０は、投票券情報提供サーバの動作例を示すフローチャートである。図１１および図１２は、競争体番号パターンに対する金額の指定のためのウェブページの一例を示す模式図である。図１３は、入力された情報の確認のためのウェブページの一例を示す模式図である。
【００７７】
まず、ユーザは、予めユーザが投票券の購入に必要なお金を、競馬サイトに入金しておく。例えば、ユーザは、今日開催されるレースに対して購入する投票券の予算として、投票券を購入する前に、投票券購入の資金を、投票券情報提供サーバ１０に開設してある自分の口座に予め入金をしておく。ユーザは、端末装置３０から投票券情報提供サーバ１０の競馬サイトにログインして、入金の手続きを行う。投票券情報提供サーバ１０は、会員ＤＢ１２ｄを参照して、ログイン処理を行い、入金を受け付ける。そして、投票券情報提供サーバ１０は、口座ＤＢ１２ｃにおけるユーザＩＤに対応する口座に入金情報を記憶する。なお各レースの状況を見て、レース毎に入金手続きを行ってもよい。
【００７８】
入金を受けた後、ユーザは、例えば、レース情報表に基づき、投票券を購入するための検討を行い、購入する投票券が決まったならば、ウェブページ４１における投票ボタンＢ３をタップまたはタップまたはクリックする。投票ボタンＢ３がタップまたはクリックされると、図７に示すように、投票券種別の選択のためのウェブページ４２が、表示部３３に表示される。なお、投票ボタンＢ３がタップまたはクリックされた時にも、レース番号に対応したレースＩＤが、端末装置３０から投票券情報提供サーバ１０に送信されるようにしてもよい。
【００７９】
そして、ウェブページ４２には、レース番号と共に、買い目における投票券種別ボタンＢ４が表示される。ユーザが、投票券種別ボタンＢ４を、タップまたはクリックにより選択すると、選択された投票券種別の情報が、端末装置３０から投票券情報提供サーバ１０に送信される。
【００８０】
ユーザが、投票券種別ボタンＢ４を、タップまたはクリックした後、図８または図９に示すように、競争体番号パターンの指定のためのウェブページ４３またはウェブページ４４が、表示部３３に表示される。なお、図８には、”単勝”の投票券種別ボタンＢ４が選択された場合のウェブページ４３が示されている。図９には、”馬単”の投票券種別ボタンＢ４が選択された場合のウェブページ４４が示されている。
【００８１】
次に、図１０に示すように、投票券情報提供サーバ１０が、投票券種別を受け付ける（ステップＳ１）。具体的には、投票券情報提供サーバ１０のシステム制御部１４が、端末装置３０から、ユーザにより選択された投票券種別の情報を受信する。
【００８２】
このように、投票券情報提供サーバ１０は、前記レースに出場する競争体のうち１以上の競争体の着順を一意に指定する投票券の投票券種別を、ユーザから受け付ける受付手段の一例として機能する。また、投票券情報提供サーバ１０は、前記レースに出場する競争体のうち１以上の競争体を指定する投票券の投票券種別を、ユーザから受け付ける受付手段の一例として機能する。
【００８３】
次に、投票券情報提供サーバ１０が、競争体番号パターンを受け付ける（ステップＳ２）。具体的には、システム制御部１４が、ウェブページ４３またはウェブページ４４において、ユーザが入力した競争体番号（競争体番号パターン）の情報を端末装置３０から受信する。
【００８４】
例えば、投票券種別が”単勝”の場合、ウェブページ４３において、競争体番号パターンの一例として、ユーザが１着と予想する（いわゆる本命である）競争体の馬番（例えば、”５”）を馬番入力欄に入力する。なお、本命を負かす可能性が高い対抗馬等を購入する場合、ウェブページ４３における追加ボタンＢ５を選択して、馬番入力欄を増加させる。馬番の入力が終わり、ウェブページ４３において、金額入力ボタンＢ６が選択された場合、端末装置３０は、競争体番号パターンの情報を投票券情報提供サーバ１０に送信する。
【００８５】
また、投票券種別が”馬単”の場合、ウェブページ４４において、競争体番号パターンの一例として、ユーザが１着および２着と予想する競争体の馬番（例えば、１着の馬番”５”と、２着の馬番”１”）を馬番入力欄に入力する。さらに購入したい順番の組み合わせがある場合、ユーザが追加ボタンを選択して、馬番入力欄を増やし、ユーザが１着および２着と予想する競争体の馬番（例えば、”５”と”３”等）を馬番入力欄に入力する。馬番の入力が終わり、ウェブページ４４において、金額入力ボタンＢ６が選択された場合、端末装置３０は、競争体番号パターンの情報を投票券情報提供サーバ１０に送信する。
【００８６】
ユーザが、金額入力ボタンＢ６を、タップまたはクリックした後、図１１または図１２に示すように、競争体番号パターンに対する金額の指定のためのウェブページ４５またはウェブページ４６が、表示部３３に表示される。なお、図１１には、投票券種別”単勝”において、競争体番号パターンに対する金額の指定のためのウェブページ４５が示されている。ウェブページ４５には、競争体番号パターンに対する金額入力欄が表れる。また、図１２には、投票券種別”馬単”において、競争体番号パターンに対する金額の指定のためのウェブページ４６が示されている。ウェブページ４６には、各競争体番号パターンに対する金額入力欄が表れる。
【００８７】
このように、投票券情報提供サーバ１０は、投票券種別における競争体の順位に対応する１以上の競争体番号の競争体番号パターンを、ユーザから受け付ける受付手段の一例として機能する。また、投票券情報提供サーバ１０は、投票券種別における競争体に対応する１以上の競争体番号の競争体番号パターンを、ユーザから受け付ける受付手段の一例として機能する。
【００８８】
次に、投票券情報提供サーバ１０が、購入金額の受け付ける（ステップＳ３）。具体的には、システム制御部１４が、ウェブページ４５またはウェブページ４６において、ユーザが入力した競争体番号パターン対する購入金額（受付金額）の情報を端末装置３０から受信する。
【００８９】
例えば、投票券種別が”単勝”の場合、ウェブページ４５において、受付金額の一例として、競争体番号パターンに対する購入金額（例えば、”￥１０００”）を金額入力欄に入力する。金額の入力が終わり、ウェブページ４５において、金額確定ボタンＢ７が選択された場合、端末装置３０は、受付金額の情報を投票券情報提供サーバ１０に送信する。
【００９０】
また、投票券種別が”馬単”の場合、ウェブページ４６において、受付金額の一例として、各競争体番号パターンに対する購入金額（例えば、５−１の場合”￥２００”、５−３の場合￥１００、５−６の場合￥１００）を金額入力欄に入力する。金額の入力が終わり、ウェブページ４６において、金額確定ボタンＢ７が選択された場合、端末装置３０は、受付金額の情報を投票券情報提供サーバ１０に送信する。
【００９１】
ユーザが、金額確定ボタンＢ７を、タップまたはクリックした後、図１３に示すように、入力された情報の確認のためのウェブページ４７が、表示部３３に表示される。ユーザは、購入する投票券を確認し、確定ボタンＢ８をタップまたはクリックすると、端末装置３０は、投票券が確認された旨の情報を投票券情報提供サーバ１０に送信する。
【００９２】
このように、投票券情報提供サーバ１０は、競争体番号パターンに対して受け付ける受付金額を、ユーザから受け付ける受付手段の一例として機能する。
【００９３】
（３．４  お得情報の表示）
次に、ユーザに対するお得情報の表示について、図１４から図１９を用いて説明する。
図１４は、サーチ範囲の選択のためのウェブページの一例を示す模式図である。図１５から図１９は、お得情報のウェブページの一例を示す模式図である。
【００９４】
まず、ウェブページ４７において、ユーザが、確定ボタンＢ８をタップまたはクリックした場合、お得情報（ユーザに価値がある情報）のサーチ範囲の選択のためのウェブページ５０が、表示部３３に表示される。ウェブページ５０には、サーチ範囲として、（１）選択した馬番の組み合わせのみで、お得情報をサーチする場合、（２）選択した馬番と選択していない馬番との組み合わせを含む範囲から、お得情報をサーチする場合、および、（３）ユーザによる選択非選択に関わらず、全馬番、全投票券種別の組み合わせから、お得情報をサーチする場合が表示される。
【００９５】
選択した馬番の組み合わせのみで、お得情報をサーチするサーチ範囲の場合、例えば、１５頭の場合、馬連”１−４”、すなわち、１着から２着に入ると予想される馬（馬番”１”と馬番”４”）の投票券を購入しようとしている場合、同じ馬番が入る枠連”１−３” の投票券をサーチ範囲とする。また、枠連”１−３”の投票券を購入しようとしている場合、馬連”１−４”と馬連”１−５”の投票券をサーチ範囲とする。
【００９６】
選択した馬番と選択していない馬番との組み合わせを含む範囲から、お得情報をサーチするサーチ範囲の場合、例えば、単勝”３”の投票券を購入しようとしている場合、”馬単１着３番総流し”の投票券をサーチ範囲とする。また、馬単”５−１”、馬単”５−３”、および、馬単”５−３”の投票券を購入しようとしている場合、単勝”５”の投票券をサーチ範囲とする。
【００９７】
ユーザによる馬番の選択非選択に関わらず、全馬番、全投票券種別の組み合わせから、お得情報をサーチするサーチ範囲の場合、合計の購入金額、または、購入予定金額に応じて、払戻金額が高い買い目の投票券をサーチするサーチ範囲とする。
【００９８】
なお、サーチ範囲の広さに応じて、サーチ料金を高くしている。例えば、サーチ範囲（１）の場合、サーチ料金が￥１００、サーチ範囲（２）の場合、サーチ料金が￥２００、サーチ範囲（３）の場合、サーチ料金が￥３００である。
【００９９】
お得な情報が必要ない場合は、ユーザはボタンＢ９をタップまたはクリックすると、端末装置３０は、お得情報不要の情報を投票券情報提供サーバ１０に送信する。
【０１００】
サーチ範囲（１）の場合は、ユーザはサーチボタンＢ１０をタップまたはクリックすると、端末装置３０は、サーチ範囲（１）の要求を投票券情報提供サーバ１０に送信する。サーチ範囲（２）の場合は、ユーザはサーチボタンＢ１１をタップまたはクリックすると、端末装置３０は、サーチ範囲（２）の要求を投票券情報提供サーバ１０に送信する。サーチ範囲（３）の場合は、ユーザはサーチボタンＢ１２をタップまたはクリックすると、端末装置３０は、サーチ範囲（３）の要求を投票券情報提供サーバ１０に送信する。
【０１０１】
なお、サーチボタンＢ１０からＢ１２がタップまたはクリックされ、投票券情報提供サーバ１０が、サーチ範囲の要求を受信した場合、サーチ範囲に応じたサーチ料（課金）として、ユーザの口座ＤＢ１２ｃから引き落としを行う。
【０１０２】
このように、投票券情報提供サーバ１０は、前記投票券に関する情報を提供するための課金を更に受け付ける受付手段の一例として機能する。
【０１０３】
次に、投票券情報提供サーバ１０が、お得情報が必要か否かを判定する（ステップＳ４）。具体的には、システム制御部１４が、端末装置３０から、お得情報が不要の情報を受信した場合、お得情報不要と判定する。システム制御部１４が、端末装置３０から、サーチ範囲の要求を受信した場合、お得情報が必要と判定する。
【０１０４】
お得情報が必要と判定された場合（ステップＳ４；ＹＥＳ）、投票券情報提供サーバ１０が、オッズ情報を取得する（ステップＳ５）。具体的には、システム制御部１４が、レースＩＤに基づきレース情報ＤＢ１２ａ参照して、レースに対応した現在のオッズ情報を取得する。
【０１０５】
このように、投票券情報提供サーバ１０は、前記公営競技のレースに関するオッズ情報を取得するオッズ情報取得手段の一例として機能する。
【０１０６】
一方、お得情報が不要と判定された場合（ステップＳ４；ＮＯ）、一連の処理を終了し、投票券情報提供サーバ１０が、口座ＤＢ１２ｃから、購入金額に応じた金額を引き落とす。
【０１０７】
次に、投票券情報提供サーバ１０が、投票券種別を抽出する（ステップＳ６）。システム制御部１４が、投票券種別ＤＢ１２ｂを参照して、受け付けた投票券種別とは異なる投票券種別を抽出する。例えば、サーチ範囲（１）の場合、システム制御部１４が、投票券種別として、”馬連”を受け付けたとき、異なる投票券種別として、”枠連”等を抽出する。
【０１０８】
サーチ範囲（２）の場合、システム制御部１４が、例えば、投票券種別として、”単勝”を受け付けたとき、異なる投票券種別として、”馬単”や”３連単”等を抽出する。また、投票券種別として、”馬単”を受け付けたとき、システム制御部１４が、異なる投票券種別として、”単勝”や”３連単”等を抽出する。また、投票券種別として、” ３連単”を受け付けたとき、システム制御部１４が、異なる投票券種別として、”単勝”や”馬単”等を抽出する。なお、競争体の順序を指定する投票券種別を受け付けたとき、システム制御部１４が投票券種別として、同じ分類の投票券種別を抽出してもよい。また、競争体を順不同で指定する投票券種別を受け付けたとき、システム制御部１４が投票券種別として、同じ分類の投票券種別を抽出してもよい。
【０１０９】
サーチ範囲（３）の場合、システム制御部１４が、受け付けた投票券種別とは、異なる全ての投票券種別を抽出する。
【０１１０】
このように、投票券情報提供サーバ１０は、前記競争体の順位を指定する投票券の投票券種別のうち、前記受け付けた投票券種別とは異なる投票券種別を抽出する投票券種別抽出手段の一例として機能する。また、投票券情報提供サーバ１０は、前記競争体を指定する投票券の投票券種別のうち、前記受け付けた投票券種別とは異なる投票券種別を抽出する投票券種別抽出手段の一例として機能する。また、投票券情報提供サーバ１０は、前記受付手段が受け付けた課金の大きさに応じて、前記競争体を指定する投票券の投票券種別の中から前記投票券種別を抽出する範囲を変えて、前記受け付けた投票券種別とは異なる投票券種別を抽出する投票券種別抽出手段の一例として機能する。
【０１１１】
次に、投票券情報提供サーバ１０が、競争体番号パターンを抽出する（ステップＳ７）。具体的には、システム制御部１４が、受け付けた競争体番号パターンを全て網羅するように抽出された投票券種別に対する競争体番号パターンを抽出する。
【０１１２】
例えば、図１５に示すように、受け付けた単勝”５”の投票券の場合、抽出された投票券種別”馬単”に対して、馬単”５”からの総流し、すなわち、馬数１０頭において馬単”５−１”、馬単”５−２”、馬単”５−３”馬単”５−４”、馬単”５−６”、馬単”５−７”、馬単”５−８”、馬単”５−９”、馬単”５−１０”のように、馬番”５”が必ず含まれるパターンが全て抽出される。
【０１１３】
また、図１６に示すように、受け付けた馬単”５−１”、馬単”５−３”、馬単”５−６”、の投票券の場合、抽出された投票券種別”単勝”に対して、単勝”５”の競争体番号パターンが抽出される。すなわち、本命の馬番”５”が必ず含まれている。
【０１１４】
また、図１７に示すように、受け付けた三連単”５−１−３”、三連単”５−１−４”の投票券の場合、抽出された投票券種別”馬単”に対して、馬単”５−１”の競争体番号パターンが抽出される。すなわち、１着予想の馬番と２着予想の馬番”５−１”の競争体番号パターンが必ず含まれている。
【０１１５】
また、図１８に示すように、受け付けた馬単”５−１”の投票券の場合、抽出された投票券種別”三連単”に対して、三連単”５−１”からの総流しの競争体番号パターンが抽出される。すなわち、１着予想の馬番と２着予想の馬番”５−１”の競争体番号パターンが必ず含まれている。
【０１１６】
また、図１９に示すように、受け付けた馬連”１−４”の投票券の場合、抽出された投票券種別”枠連”に対して、枠連”１−３”の競争体番号パターンが抽出される。１５頭の場合、枠番”１”に馬番”１”が入り、枠番”３”に馬番”４”、馬番”５”が入るので、馬番”１と馬番”４”と組み合わせの競争体番号パターンが必ず含まれている。
【０１１７】
なお、図１５および図１８は、買い目が増加する、すなわち、競争体番号パターンが増加するケースである。図１６および図１７は、買い目が減少する、すなわち、競争体番号パターンが減少するケースである。図１９は、買い目が増減しない、すなわち、競争体番号パターンが増減しないケースである。
【０１１８】
このように、投票券情報提供サーバ１０は、前記受け付けた競争体番号パターンを全て網羅するように前記抽出された投票券種別に対する競争体番号パターンを抽出する競争体番号パターン抽出手段の一例として機能する。また、投票券情報提供サーバ１０は、投票券種別における競争体に対応する１以上の競争体番号の競争体番号パターンを抽出する競争体番号パターン抽出手段の一例として機能する。また、投票券情報提供サーバ１０は、前記競争体番号パターン数が増加するように前記競争体番号パターンを抽出する競争体番号パターン抽出手段の一例として機能する。また、投票券情報提供サーバ１０は、前記競争体番号パターン数が減少するように前記競争体番号パターンを抽出する競争体番号パターン抽出手段の一例として機能する。
【０１１９】
次に、投票券情報提供サーバ１０が、払戻金額を算出する（ステップＳ８）。具体的には、システム制御部１４が、レース情報ＤＢ１２ａを参照して、受け付けた各投票券のオッズ情報、すなわち、受け付けた投票券種別および受け付けた競争体番号パターンに対応するオッズ情報を読み出す。そして、システム制御部１４が、読み出したオッズ情報のオッズの値と、受け付けた各投票券の購入金額とを掛け合わせ、受け付けた各投票券の払戻金額（例えば、図１５から図１９に示すように、現在の買い目における払戻金額）を算出する。
【０１２０】
このように、投票券情報提供サーバ１０は、前記受付手段により受け付けた投票券種別および競争体番号パターンに対応する前記オッズ情報と、前記受付手段により受け付けた受付金額と、から１つ以上の第１払戻金額を算出する第１払戻金額算出手段の一例として機能する。
【０１２１】
次に、投票券情報提供サーバ１０が、所定条件を満たす割当金額が算出できたか否かを判定する（ステップＳ９）。具体的には、システム制御部１４が、レース情報ＤＢ１２ａを参照して、抽出された各投票券のオッズ情報、すなわち、抽出された投票券種別および抽出された競争体番号パターンに対応するオッズ情報を読み出す。そして、システム制御部１４が、ユーザが支払う合計金額に等しい金額か、合計金額より低い金額か、または、合計金額に近い金額を、抽出された各投票券に対して割り当てる割当金額を設定する。
【０１２２】
ここで、図１５から図１９は、割当金額の合計が、受付金額の合計以下になる場合である。また、図１５および図１６が、割当金額の合計が、受付金額の合計に等しくなる場合である。また、図１７、図１８および図１９が、割当金額の合計が、受付金額の合計より低くなる場合である。
【０１２３】
なお、割当金額を設定する際、読み出されたオッズが低い投票券に対して、なるべく割当金額が高くなるように、割当金額を設定してもよい。また、合計金額に近い金額として、合計金額の１０％高い金額、または、ユーザが設定した許容金額でもよい。
【０１２４】
そして、システム制御部１４が、設定された各割当金額と、抽出された各投票券のオッズ情報とを掛け合わせ、各投票券の払戻金額を算出する。算出された払戻金額（第２払戻金額の一例）のうち最低の払戻金額が、ステップＳ８で算出された払戻金額の最高額（第１払戻金額に関連した金額の一例）より高い場合、システム制御部１４は、所定条件を満たす割当金額が算出できたと判定する。なお、購入金額単位（例えば、￥１００）毎に、割当金額の設定を変更して、再度判定を行ってもよい。また、第１払戻金額に関連した金額の一例として、ステップＳ８で算出された払戻金額の平均額、または、最低金額でもよい。
【０１２５】
このように、投票券情報提供サーバ１０は、前記抽出された投票券種別および前記抽出された競争体番号パターンに対する前記オッズ情報から算出される１以上の第２払戻金額のうち最低の第２払戻金額が、前記算出された第１払戻金額に関連した金額よりも高くなるように、前記抽出された競争体番号パターンに割り当てる割当金額を算出する割当金額算出手段の一例として機能する。
【０１２６】
また、投票券情報提供サーバ１０は、前記抽出された競争体番号パターンに割り当てる割当金額の合計が、前記受け付けた受付金額の合計以下になるように、前記割当金額を算出する割当金額算出手段の一例として機能する。また、投票券情報提供サーバ１０は、前記抽出された競争体番号パターンに割り当てる割当金額の合計が、前記受け付けた受付金額の合計に等しくなるように、かつ、前記最低の第２払戻金額が、前記算出された第１払戻金額よりも高くなるように、当該割当金額を算出する割当金額算出手段の一例として機能する。また、投票券情報提供サーバ１０は、前記抽出された競争体番号パターンに割り当てる割当金額の合計が、前記受け付けた受付金額の合計に等しくなるように、かつ、前記最低の第２払戻金額が、前記算出された１つ以上の第１払戻金額のうち最も高い第１払戻金額よりも高くなるように、前記割当金額を算出する割当金額算出手段の一例として機能する。また、投票券情報提供サーバ１０は、前記抽出された競争体番号パターンに割り当てる割当金額の合計が、前記受け付けた受付金額の合計より低くなるように、かつ、前記最低の第２払戻金額が、前記算出された１つ以上の第１払戻金額のうち最も高い第１払戻金額よりも高くなるように、前記割当金額を算出する割当金額算出手段の一例として機能する。
【０１２７】
所定条件を満たす割当金額が算出できた場合（ステップＳ９；ＹＥＳ）、投票券情報提供サーバ１０が、投票券種別、競争体番号パターン、および、割当金額を出力する（ステップＳ１０）。具体的には、システム制御部１４が、抽出された投票券種別、抽出された競争体番号パターン、および、算出された割当金額を、端末装置３０に送信する。
【０１２８】
端末装置３０は、投票券情報提供サーバ１０からの出力を受信し、図１５から図１９に示すように、抽出された投票券種別、抽出された競争体番号パターン、および、算出された割当金額を表示したウェブページ５１〜５５を、表示部３３に表示する。ウェブページ５１〜５５には、お得な情報の投票券に変更するための変更ボタンＢ１３と、お得な情報の投票券に変更する予約をするための予約ボタンＢ１４とが表示される。
【０１２９】
このように、投票券情報提供サーバ１０は、前記割当金額算出手段により前記割当金額が算出された場合のみに、前記抽出された投票券種別と、前記抽出された競争体番号パターンと、前記算出された割当金額と、を出力する出力手段の一例として機能する。
【０１３０】
一方、所定条件を満たす割当金額が算出できない場合（ステップＳ９；ＮＯ）、一連の処理を終了し、投票券情報提供サーバ１０が、口座ＤＢ１２ｃから、購入金額に応じた金額を引き落とす。
【０１３１】
次に、投票券情報提供サーバ１０が、購入予約か否かを判定する（ステップＳ１１）。ウェブページ５１〜５５において、ユーザが、予約ボタンＢ１４をタップまたはクリックすると、端末装置３０は、お得情報に変更された投票券で予約する旨の情報を投票券情報提供サーバ１０に送信する。そして、システム制御部１４が、購入予約であると判定する（ステップＳ１１；ＹＥＳ）。
【０１３２】
このように、投票券情報提供サーバ１０は、前記受付手段により受け付けた投票券種別、競争体番号パターンおよび受付金額と、前記出力手段により出力された投票券種別、競争体番号パターンおよび割当金額と、のいずれか一方の購入の予約を受け付ける予約手段の一例として機能する。
【０１３３】
一方、ウェブページ５１〜５５において、ユーザが、変更ボタンＢ１３をタップまたはクリックすると、端末装置３０は、お得情報に変更された投票券で確定する旨の情報を投票券情報提供サーバ１０に送信する。そして、システム制御部１４が、購入予約でないと判定する（ステップＳ１１；ＮＯ）。そして、システム制御部１４が、一連の処理を終了し、投票券情報提供サーバ１０が、口座ＤＢ１２ｃから、購入金額に応じた金額を引き落とす。
【０１３４】
購入予約であると判定した場合（ステップＳ１１；ＹＥＳ）、投票券情報提供サーバ１０が、予約処理を行う（ステップＳ１２）。具体的には、システム制御部１４が、ステップＳ５のように、レース情報ＤＢ１２ａを参照して、該当するレースの公営競技の投票券の受付締切の所定時間（例えば、３０秒）前におけるオッズ情報を取得する。この取得したオッズ情報に基づき、システム制御部１４が、ステップＳ６からステップＳ９の処理を行う。システム制御部１４が、ステップＳ６およびステップＳ７において、新たな投票券種別と競争体番号パターンとを抽出する。そして、ステップＳ９において、割当金額を算出できたとき、システム制御部１４が、新たに抽出された投票券種別と競争体番号パターンとの投票券と、この投票券に割り当てられた割当金額で、投票券の購入を行う。
【０１３５】
このように、投票券情報提供サーバ１０は、前記記憶手段を参照して、前記公営競技の投票券の受付締切の所定時間前における前記オッズ情報を取得するオッズ情報取得手段の一例として機能する。また、投票券情報提供サーバ１０は、当該取得されたオッズ情報に基づき、前記割当金額算出手段により前記割当金額が算出された場合のみに、当該算出された割当金額による購入処理を行う購入処理手段の一例として機能する。
【０１３６】
ステップＳ９において、割当金額を算出できないときは、システム制御部１４が、受け付けた買い目の投票券による購入手続きの処理を行う。
【０１３７】
以上のように、本実施形態によれば、受け付けた投票券種別とは異なる投票券種別において、受け付けた競争体番号パターンを全て網羅するように抽出された投票券種別に対する競争体番号パターンを抽出し、抽出された投票券種別および競争体番号パターンの投票券に対する第２払戻金額が、受け付けた投票券の第１払戻金額に関連した金額よりも高くなる場合のみに、抽出された投票券の情報を出力するので、ユーザによる予想を維持したまま、より高い配当が得られる可能性の高い投票券の情報を提供できる。また、受け付けた競争体番号パターンを全て網羅するように抽出された投票券種別に対する競争体番号パターンを抽出しているので、ユーザにとって不利にならないような情報を確実に提供できる。
【０１３８】
また、図１５から図１９に示すように、抽出された競争体番号パターンに割り当てる割当金額の合計が、受け付けた受付金額の合計以下になるように、割当金額を算出する場合、抽出された競争体番号パターンに割り当てる割当金額の合計が、受け付けた受付金額の合計以下になる投票券の情報を出力するので、支払う金額が低くても、ユーザによる予想を維持したまま、より高い配当が得られる可能性の高い投票券の情報を提供できる。
【０１３９】
また、図１５に示すように、競争体番号パターン数が増加するように競争体パターンを抽出し、抽出された競争体番号パターンに割り当てる割当金額の合計が、受け付けた受付金額の合計に等しくなるよう、かつ、最低の第２払戻金額が、第１算出された第１払戻金額よりも高くなるように、当該割当金額を算出する場合、抽出された競争体番号パターンに割り当てる割当金額の合計が、受け付けた受付金額の合計に等しく、かつ、最低の第２払戻金額が、受け付けた投票券の第１払戻金額よりも高くなる投票券の情報を出力するので、支払う金額が同じで、ユーザによる予想を維持したまま、より高い配当が得られる可能性の高い投票券の情報を提供できる。
【０１４０】
また、図１６に示すように、競争体番号パターン数が減少するように競争体番号パターンを抽出し、抽出された競争体番号パターンに割り当てる割当金額の合計が、受け付けた受付金額の合計に等しくなるように、かつ、最低の第２払戻金額が、算出された１つ以上の第１払戻金額のうち最も高い第１払戻金額よりも高くなるように、割当金額を算出する場合、抽出された競争体番号パターンに割り当てる割当金額の合計が、受け付けた受付金額の合計に等しく、かつ、最低の第２払戻金額が、受け付けた投票券の第１払戻金額の最も高い金額よりも高くなる投票券の情報を出力するので、支払う金額が同じで、払戻金額がより高くなる可能性が高くなり、ユユーザによる予想を維持したまま、より高い配当が得られる可能性の高い投票券の情報を提供できる。
【０１４１】
また、図１７、図１８および図１９に示すように、抽出された競争体番号パターンに割り当てる割当金額の合計が、受け付けた受付金額の合計より低くなるように、かつ、最低の第２払戻金額が、算出された１つ以上の第１払戻金額のうち最も高い第１払戻金額よりも高くなるように、割当金額を算出する場合、抽出された競争体番号パターンに割り当てる割当金額の合計が、受け付けた受付金額の合計より低く、かつ、最低の第２払戻金額が、受け付けた投票券の第１払戻金額の最も高い金額よりも高くなる投票券の情報を出力するので、支払う金額が低くても、払戻金額がより高くなる可能性が高くなり、ユーザによる予想を維持したまま、より高い配当が得られる可能性の高い投票券の情報を提供できる。
【０１４２】
また、図１４に示すように、投票券に関する情報を提供するための課金を更に受け付け、受け付けた課金の大きさに応じて、競争体を当てる投票券の投票券種別の中から投票券種別を抽出する範囲を変えて、受け付けた投票券種別とは異なる投票券種別を抽出する場合、受け付けた課金の大きさに応じて抽出する範囲を変えているので、抽出する範囲が限定され、課金による抑制効果もあり、処理負担を軽減できる。
【０１４３】
また、図１５から図１９に示すように、公営競技のレースに関するオッズ情報を記憶手段（例えば、レース情報ＤＢ１２ａ）に逐次記憶させ、受け付けた投票券種別、競争体番号パターンおよび受付金額と、出力された投票券種別、競争体番号パターンおよび割当金額と、のいずれか一方の購入の予約を、予約ボタンＢ１４により受け付け、記憶手段を参照して、公営競技の投票券の受付締切の所定時間前におけるオッズ情報を取得し、当該取得されたオッズ情報に基づき、割当金額が算出された場合のみに、当該算出された割当金額による購入処理を行う場合、受付締切まで時間があるときには、オッズが確定するまでに時間があるので、ユーザから受け付けた投票券と、抽出された投票券とが有利かが確定しないが、購入予約を受け付けてシステムが締切直前に自動で判定することにより、どちらが有利になるかをユーザが監視する必要がなくなる。また、オッズが変化により抽出した投票券の払戻金額が不利になる場合の購入を防止できる。
【０１４４】
また、図１９に示すように、公営競技のレースに関するオッズ情報を取得し、レースに出場する競争体のうち１以上の競争体を指定する投票券の投票券種別と、当該投票券種別における競争体に対応する１以上の競争体番号の競争体番号パターンと、当該競争体番号パターンに対して受け付ける受付金額とを、ユーザから受け付け、競争体を指定する投票券の投票券種別のうち、受け付けた投票券種別とは異なる投票券種別を抽出し、受け付けた競争体番号パターンを全て網羅するように前記抽出された投票券種別に対する競争体番号パターンを抽出し、受け付けた投票券種別および競争体番号パターンに対応するオッズ情報と、受け付けた受付金額と、から１つ以上の第１払戻金額を算出し、抽出された投票券種別および前記抽出された競争体番号パターンに対する前記オッズ情報から算出される１以上の第２払戻金額のうち最低の第２払戻金額が、前記算出された第１払戻金額に関連した金額よりも高くなるように、抽出された競争体番号パターンに割り当てる割当金額を算出し、割当金額が算出された場合のみに、抽出された投票券種別と、抽出された競争体番号パターンと、算出された割当金額と、を出力し、抽出された競争体番号パターンに割り当てる割当金額の合計が、受け付けた受付金額の合計より低くなるように、かつ、最低の第２払戻金額が、算出された１つ以上の第１払戻金額のうち最も高い第１払戻金額よりも高くなるように、割当金額を算出してもよい。
【０１４５】
従来、ユーザが購入する投票券において、ユーザによる予想を維持したまま、元手資金がより安くて済み（受け付けた受付金額の合計より低くて済み）、より高い配当が得られる可能性の高い投票券の情報を提供ができなかった。
【０１４６】
しかし、本実施形態によれば、受け付けた投票券種別とは異なる投票券種別において、受け付けた競争体番号パターンを全て網羅するように抽出された投票券種別に対する競争体番号パターンを抽出し、抽出された競争体番号パターンに割り当てる割当金額の合計が、受け付けた受付金額の合計より低く、かつ、最低の第２払戻金額が、受け付けた投票券の第１払戻金額の最も高い金額よりも高くなる投票券の情報を出力するので、支払う金額が、受け付けた金額より低くても、払戻金額がより高くなる可能性が高くなり、ユーザによる予想を維持したまま、より高い配当が得られる可能性の高い投票券の情報を提供できる。
【０１４７】
なお、端末装置３０が、投票券情報提供サーバ１０から、オッズ情報を取得して、ステップＳ１からＳ１２の処理を行ってもよい。
【０１４８】
ステップＳ１のように、端末装置３０が、操作部３４から投票券種別を受け付け、ステップＳ２のように、端末装置３０が、操作部３４から競争体番号パターンを受け付け、ステップＳ２のように、端末装置３０が、操作部３４から購入金額を受け付ける。
【０１４９】
そして、ステップＳ４のように、端末装置３０が、操作部３４からの入力に基づき、お得情報が必要か否かを判定する。ステップＳ５のように、端末装置３０が、投票券情報提供サーバ１０からオッズ情報を取得する。
【０１５０】
ステップＳ６のように、端末装置３０が、投票券種別を抽出し、ステップＳ７のように、端末装置３０が、競争体番号パターンを抽出し、ステップＳ８のように、端末装置３０が、払戻金額を算出する。
【０１５１】
次に、ステップＳ９のように、端末装置３０が、所定条件を満たす割当金額が算出できたか否かを判定する。割当金額が算出できた場合、ステップＳ１０のように、端末装置３０が、投票券種別、競争体番号パターン、および、割当金額を、表示部３３に出力する。
【０１５２】
次に、ステップＳ１１のように、端末装置３０が、購入予約か否かを判定する。予約処理をする場合、端末装置３０が、締切直前まで、最新のオッズ情報を、投票券情報提供サーバ１０から取得し、ステップＳ１２のように、端末装置３０が予約処理を行い、条件を満たした場合、投票券情報提供サーバ１０に予約確定の情報を送信する。
【０１５３】
投票券情報提供サーバ１０による一連の処理を、端末装置３０が行っても、同様の効果を得ることができる。
【０１５４】
さらに、本発明は、上記各実施形態に限定されるものではない。上記各実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【０１５５】
１：投票券情報提供システム
１０：投票券情報提供サーバ（投票券情報提供装置）
１２ａ：レース情報ＤＢ（記憶手段）
１２ｂ：投票券種別ＤＢ
１２ｃ：口座ＤＢ
３０：端末装置（投票券情報提供装置）
【図１】
2014085987.tif 000003
【図２】
2014085987.tif 000004
【図３】
2014085987.tif 000005
【図４】
2014085987.tif 000006
【図１０】
2014085987.tif 000007
【図５】
2014085987.tif 000008
【図６】
2014085987.tif 000009
【図７】
2014085987.tif 000010
【図８】
2014085987.tif 000011
【図９】
2014085987.tif 000012
【図１１】
2014085987.tif 000013
【図１２】
2014085987.tif 000014
【図１３】
2014085987.tif 000015
【図１４】
2014085987.tif 000016
【図１５】
2014085987.tif 000017
【図１６】
2014085987.tif 000018
【図１７】
2014085987.tif 000019
【図１８】
2014085987.tif 000020
【図１９】
2014085987.tif 000021